(57)【特許請求の範囲】
【請求項１】
所定の高さの盛土前面に土留材を積んで急勾配な盛土部を形成する工程と、該盛土部にアンカー孔を削孔し、該アンカー孔にグラウトを注入する工程と、前記アンカー孔に引張材を挿入し、その下端部をグラウト内に埋設するとともに、その上端部を盛土部の前面に設置した受圧板に緊張定着する工程とからなることを特徴とする擁壁の構築方法。
【請求項２】
引張材は仮緊張とし、盛土部を所定の高さに構築した後に本緊張することを特徴とする請求項１に記載の擁壁の構築方法。
【請求項３】
土留材は土嚢、砂を詰め込んだ袋体、石を詰め込んだ袋体または籠体、砕石を詰め込んだ袋体または籠体、コンクリートを充填した袋体または籠体であることを特徴とする請求項１または２に記載の擁壁の構築方法。
【発明の詳細な説明】
【０００１】
【発明の属する技術分野】
本発明は擁壁の構築方法に関するものである。
【０００２】
【従来の技術】
一般に、盛土や切土における急勾配な法面の崩壊を防ぐ擁壁としてコンクリート擁壁や石積擁壁が知られている。前者は法面前面にほば垂直に近いコンクリートの擁壁を設けたものであり、後者は前記と同様に法面前面にほば垂直に近い石積の擁壁を設けたものである。
【０００３】
【発明が解決しようとする課題】
しかし、上記のようなコンクリート擁壁は、壁の厚みを厚くし、かつ控長を長くとらなければならないため、大がかりな構造物となって不経済であった。一方、後者は自立不能であるため、前記と同様に大がかりな構造物になるという問題があった。
【０００４】
本発明は上記のような問題に鑑みてなされたものであり、その目的は、急勾配な法面の崩壊を防ぐ擁壁を、短期間でかつ経済的に構築することができる擁壁の構築方法を提供することである。
【０００５】
【課題を解決するための手段】
以上の課題を解決するための手段は、請求項１の発明の擁壁の構築方法が、所定の高さの盛土前面に土留材を積んで急勾配な盛土部を形成する工程と、該盛土部にアンカー孔を削孔し、該アンカー孔にグラウトを注入する工程と、前記アンカー孔に引張材を挿入し、その下端部をグラウト内に埋設するとともに、その上端部を盛土部の前面に設置した受圧板に緊張定着する工程とからなることを特徴とし、また請求項２の発明の擁壁の構築方法が、請求項１において、引張材は仮緊張とし、盛土部を所定の高さに構築した後に本緊張することを特徴とし、また請求項３の発明の擁壁の構築方法が、請求項１または２において、土留材は土嚢、砂を詰め込んだ袋体、石を詰め込んだ袋体、砕石を詰め込んだ袋体またはコンクリートを充填した袋体であることを特徴とする。
【０００６】
盛土前面に土留材を積むことにより、急勾配な法面にも受圧板を設置することができ、この受圧板を引張材で緊張定着することができる。擁壁を、大がかりな構造とせず、短期間でかつ経済的に構築することができる。盛土前面に土留材を積むことにより、急勾配な法面を簡単に形成することができる。
【０００７】
【発明の実施の形態】
以下、本発明の擁壁の構築方法について説明するが、各実施の形態において同じ構成は同じ符号を付して説明し、異なった構成にのみ異なった符号を付して説明する。
【０００８】
図１〜５は、第１の実施の形態の擁壁の構築方法であり、これは盛土工事における擁壁の構築方法を示したものである。はじめに、（１）に示すように、法面が安定勾配の一段目の盛土１を行い、この盛土１の前面に土留材２を積み上げる。この土留材２は土嚢を使用し、積み上げられた土嚢が崩れないように鉄筋で串刺し状にする（図示せず）。また土嚢が受圧板の押圧力により圧縮変形する場合は、土嚢に代わって、砂を詰め込んだ袋体、石を詰め込んだ袋体または籠体、砕石を詰め込んだ袋体または籠体、コンクリートを充填した袋体または籠体を積み上げることもできる。
【０００９】
次に、（２）に示すように、一段目の盛土１の上に二段目の盛土３を行い、その前面に前記と同様の土留材２を積み上げて、前面に受圧板が設置できる厚さの盛土部４を形成する。
【００１０】
次に、（３）に示すように、上記盛土部４にアンカー孔５を削孔し、ここにグラウトであるコンクリート６を注入する。そして、アンカー孔５内にＰＣ鋼線などの引張材７を挿入して、その下端部をコンクリート６内に差し込むとともに、その上端部をアンカー孔５から導出する。そして、盛土部４の前面に受圧板８を隣接状態で設置し、該受圧板８にアンカー孔５から導出した引張材７の上端部を定着する。
【００１１】
次に、（４）に示すように、二段目の盛土２の上に三段目の盛土９を行って、その前面に土留材２を積み上げる。そして、アンカー孔５内のコンクリート６が硬化した後に、引張材７を緊張して受圧板８を固定すると、図２に示すような擁壁下部１０が形成される。この受圧板８は、図３に示すように、平面方形のコンクリート板１１の上面に突起部１２が十字状に形成され、これらの突起部１２の交差部に引張材の差込孔１３が設けられている。
【００１２】
次に、上記のように擁壁下部１０が形成された後、図４の（１）に示すように、三段目の盛土９の上に、四段目および五段目の盛土１４、１５を行い、その前面に前記と同じ方法で土留材２を積み上げる。
【００１３】
次に、（２）に示すように、四段目および五段目の盛土１４、１５で形成された盛土部１６にアンカー孔５を削孔し、ここにグラウトであるコンクリート６を注入する。そして、上記と同様に、アンカー孔５内にＰＣ鋼線などの引張材７を挿入して、その下端部をコンクリート６内に差し込むとともに、その上端部をアンカー５孔から導出して、盛土部１６の前面に隣接状態で設置した受圧板８に定着する。
【００１４】
次に、（３）に示すように、五段目の盛土１５の上に六段目の盛土１７を行って、その前面に土留材２を積み上げる。そして、アンカー孔５内のコンクリート６が硬化した後に、引張材７を緊張して受圧板８を固定すると、（４）に示すような擁壁１８が完成する。
【００１５】
なお、上記の実施の形態において、引張材７は受圧板８を設置した後に、本緊張をしていたが、本緊張ではなく仮緊張しておき、盛土部４、１６を所定の高さに構築し、かつ全ての受圧板８を設置した後に、本緊張するようにしてもよい。
【００１６】
図５は、第２の実施の形態の擁壁の構築方法であり、拡幅工事における擁壁の構築方法を示したものである。この擁壁１９も上記と同じ方法で構築することができるが、アンカー孔５は切土１９ａ側に形成される。
【００１７】
また図６〜８は、他の受圧板を用いた擁壁の構築方法を示したものである。図６は十字状の腕部２０の間に平面三角形の床板２１を設けた受圧板２２であり、図７は平面十字形の受圧板２３であり、図８は平面Ｉ形の受圧板２４である。これらの擁壁２５、２６、２７も、上記と同じ方法で構築する。これらの受圧板はコンクリート製だけでなく、メタル製または樹脂製もある。
【００１８】
【発明の効果】
盛土前面に土留材を積むことにより、急勾配な法面にも受圧板を設置することができ、この受圧板を引張材で緊張定着することができる。
【００１９】
擁壁を大がかりな構造とせずに、短期間でかつ経済的に構築することができる。
【００２０】
盛土前面に土留材を積むことにより、急勾配な法面を簡単に形成することができる。
【図面の簡単な説明】
【図１】（１）〜（４）は第１の実施の形態の擁壁の構築方法を示す工程図である。
【図２】擁壁下部の正面図である。
【図３】受圧板の平面図である。
【図４】（１）〜（３）は第１の実施の形態の擁壁の構築方法を示す工程図、（４）は擁壁の正面図である。
【図５】（１）〜（６）は第２の実施の形態の擁壁の構築方法を示す工程図である。
【図６】第３の実施の形態の擁壁の正面図である。
【図７】第４の実施の形態の擁壁の正面図である。
【図８】第５の実施の形態の擁壁の正面図である。
【符号の説明】
１  一段目の盛土
２  土留材
３  二段目の盛土
４、１６  盛土部
５  アンカー孔
６  コンクリート
７  引張材
８、２２、２３、２４  受圧板
９  三段目の盛土
１０  擁壁下部
１１  コンクリート板
１２  突起部
１３  差込孔
１４  四段目の盛土
１５  五段目の盛土
１７  六段目の盛土
１８、１９、２５、２６、２７  擁壁
１９ａ  切土
２０  腕部
２１  床板
【図１】
0003556607.tif 000002
【図２】
0003556607.tif 000003
【図３】
0003556607.tif 000004
【図４】
0003556607.tif 000005
【図５】
0003556607.tif 000006
【図６】
0003556607.tif 000007
【図７】
0003556607.tif 000008
【図８】
0003556607.tif 000009